(57)【要約】【課題】  どの印刷店舗がどのような印刷注文を受けているのかを提示させ、どのような印刷注文に対してどの印刷店舗が人気があるのか提示させ、顧客が所望する印刷対象は、どの印刷店舗に任せるのが良いのか提示する仕組みを提供する。【解決手段】  各印刷店舗と、それぞれの印刷店舗が受けている印刷指示や注文の情報をデータベースに関連付けて保存、管理し、各印刷店舗が請負ったことのある印刷指示や注文情報の各内容やその累計等をデータベースから検出し、情報を各種順位付けし、顧客に提示するようにした。【選択図】  図９
2006048503.tif 000002
【特許請求の範囲】
【請求項１】
印刷の原稿となる印刷データを入力する印刷データ入力手段と、
あらかじめ登録されている複数の印刷店舗の中から注文先の印刷店舗の選択を行う印刷店舗選択手段と、
印刷店舗への印刷指示を入力する印刷指示入力手段と、
印刷店舗への注文情報を入力する注文情報入力手段と、
複数の印刷店舗の選択肢や印刷データや印刷指示や印刷注文情報や印刷統計ランキング情報等を表示する印刷サービス表示手段と、
クライアントと印刷サービス管理サーバとの間において印刷データや印刷指示や印刷注文情報や印刷統計ランキング情報やユーザ情報や印刷経過情報等をやり取りするための、クライアント側のＩ／Ｆである発注側Ｉ／Ｆ手段と、
クライアントから受けた印刷指示からジョブチケットを作成するジョブチケット作成手段と、
クライアントから受けた注文情報（希望納期や配送場所や支払い方法など）からオーダチケットを作成するオーダチケット作成手段と、
クライアントと印刷サービス管理サーバとの間において印刷データや印刷指示や印刷注文情報や印刷統計ランキング情報やユーザ情報や印刷経過情報等をやり取りするための、サーバ側のＩ／Ｆであるユーザ間Ｉ／Ｆ手段と、
前記印刷データ、印刷指示、印刷注文情報、印刷統計ランキング情報、ユーザ情報、印刷経過情報を元に印刷サービスを制御する印刷サービス制御手段と、
前記ユーザ情報を管理するユーザ管理手段と、
印刷店舗情報を管理する印刷店舗情報管理手段と、
ジョブチケットおよびオーダチケットを注文情報として管理する注文情報管理手段と、
ジョブチケットおよびオーダチケットの注文情報から統計情報を抽出する注文統計情報抽出手段と、
抽出された注文統計情報から注文統計情報データベースの作成や、追加の注文統計情報の登録および、既存の注文統計情報の検索等を行うデータベース管理手段と、
注文統計情報データベースから抽出された注文統計情報を用いてランキング情報を計算するランキング情報計算手段と、
印刷店舗と印刷サービス管理サーバとの間において印刷データやジョブチケットやオーダチケットや印刷経過情報等をやり取りするための、サーバ側のＩ／Ｆである印刷店舗間Ｉ／Ｆ手段とからなることを特徴とする印刷サービスシステム。
【請求項２】
注文統計情報データベースからランキング情報を計算するランキング情報計算手段が、複数の印刷店舗毎に、それぞれ受注した注文の多い順に注文種類を順位付けし、
印刷サービス表示手段が、印刷店舗毎に、それぞれ最も多い注文種類を付随情報として表示することを特徴とする請求項１に記載の印刷サービスシステム。
【請求項３】
注文統計情報データベースからランキング情報を計算するランキング情報計算手段が、複数の印刷店舗毎に、それぞれ受注した注文を多い順に注文種類を順位付けし、
印刷サービス表示手段が、選択された印刷店舗毎に、それぞれ過去に受注した注文の多い順に注文種類一覧表を表示することを特徴とする請求項１に記載の印刷サービスシステム。
【請求項４】
注文統計情報データベースからランキング情報を計算するランキング情報計算手段が、特定の注文の種類毎に、それぞれ受注した注文の多い順に複数の印刷店舗を順位付けし、
印刷サービス表示手段が、選択された注文種類毎に、それぞれ受注した注文の多い順に印刷店舗一覧表を表示することを特徴とする請求項１に記載の印刷サービスシステム。
【請求項５】
注文統計情報をデータベースから抽出する際の検索条件を入力する検索条件入力手段を更に有し、
前記データベース管理手段が、ユーザから入力された検索条件を用いて注文統計情報の検索等を行うことを特徴とする請求項１に記載の印刷サービスシステム。
【請求項６】
注文統計情報データベースからランキング情報を計算するランキング情報計算手段が、特定の注文の種類毎に、それぞれ受注した注文の多い順に複数の印刷店舗を順位付けし、クライアントから受けた注文種類に応じて、過去の受注が多い印刷店舗の中から、予め定めた数だけ上位数社を選定する推奨印刷店舗自動選定手段を有し、印刷サービス表示手段が、選定された印刷店舗を提示することを特徴とする請求項１に記載の印刷サービスシステム。
【発明の詳細な説明】
【技術分野】
【０００１】
本発明は、インターネットを介した印刷サービスシステムに関するものであって、特に、印刷指示および印刷データならびに印刷注文情報を用いた印刷システムに関するものである。
【背景技術】
【０００２】
従来、インターネットを介した印刷サービスシステムが存在している。
【０００３】
例えば、特許文献１に示されるように、受信した注文情報を基に、注文を受けた商品と同種類の商品を検索する手段を設け、該検索した商品の名称や単価等の商品情報を注文商品候補リストとして生成する手段を設け、該候補リストを発注側端末に表示し、発注側端末の利用者に注文する商品の選択を促すシステムがあった。
【０００４】
しかし、特許文献１に示されるシステムでは、注文情報から同種類の商品の選択を促すものであって、店舗そのものの選択を選択を促すものではなかった。
【０００５】
また、特許文献２に示されるように、取引履歴ならびに、新たな取引を喚起する取引喚起情報を格納し、格納された取引履歴に基づいて、特定の取引喚起情報を検索し、検索された取引喚起情報の配信を管理するシステムがあった。
【０００６】
しかし、特許文献２に示されるシステムでは、店舗側は、消費者として関与した実績を情報として取得し、消費者側は、実績に応じて特典情報が提供されるというものであって、消費者側が、どの店舗が、どのような注文を受けているのかという情報を得ることはできなかった。
【０００７】
また、特許文献３に示されるように、消費者のニーズに即してグループ化された楽曲等を提供し、また、所望のコンテンツを容易に確認することのできるシステムがあった。
【０００８】
しかし、特許文献３に示されるシステムでは、商品情報やコンテンツを管理するが、注文情報ではなく、注文情報を顧客の店舗選択に利用するものでもない。
【０００９】
また、特許文献４に示されるように、出力センターやミニラボ等に設置される複数の画像形成装置に関する情報をネットワーク上で収集・配信して画像形成装置に関する情報を取り扱うことにより、画像形成装置の管理や情報の管理を行うネットワークに接続されたサーバの使用方法及びサーバシステムがあった。
【００１０】
しかし、特許文献４に示されるシステムでは、店舗における複数の画像形成装置に関する情報を管理するが、顧客の店舗選択に利用しているのは画像形成装置に関する情報のみで、注文情報を顧客の店舗選択に利用するシステムではなかった。
【００１１】
また、特許文献５に示されるシステムでは、注文情報と購買者情報を関連付けて蓄積し、注文情報より各製造販売者、各年月日、各製品毎の受注数量を示す受注情報を生成するものはあった。
【００１２】
しかし、特許文献５に示されるシステムでは、注文情報を最終受注数の予測や製造・販売等の予測に利用するものであり、顧客の店舗選択に利用するものではなかった。
【特許文献１】特開平９−０５４８０１号公報
【特許文献２】特開２００１−３４４５１０号公報
【特許文献３】特開２００１−９３０４４号公報
【特許文献４】特開２００１−３１６０２０号公報
【特許文献５】特開２００２−７４０８１号公報
【発明の開示】
【発明が解決しようとする課題】
【００１３】
しかしながら、上記に示されるシステムでは、いずれも、従来の印刷サービスでは、顧客に対して、第１に、どの印刷店舗が、どのような印刷注文を受けているのかを提示することができない、第２に、どのような印刷注文に対して、どの印刷店舗が人気があるのか提示することができない、第３に、顧客が所望する印刷対象は、どの印刷店舗に任せるのが良いのか提示することができない、という問題があった。
【００１４】
本発明は、印刷データ入力手段と、印刷店舗選択手段と、印刷指示入力手段と、注文情報入力手段と、印刷サービス表示手段と、発注側Ｉ／Ｆ手段と、ジョブチケット作成手段と、オーダチケット作成手段と、ユーザ間Ｉ／Ｆ手段と、印刷サービス制御手段と、ユーザ管理手段と、印刷店舗情報管理手段と、注文情報管理手段と、注文統計情報抽出手段と、データベース管理手段と、ランキング情報計算手段と、印刷店舗間Ｉ／Ｆ手段とからなる、印刷サービスシステムを構築することにより、各印刷店舗と、それぞれの印刷店舗が受けている印刷指示や注文の情報をデータベースに関連付けて保存、管理し、各印刷店舗が請負ったことのある印刷指示や注文情報の各内容やその累計等をデータベースから検出し、情報を各種順位付けし、顧客に提示するようにしたものである。
【課題を解決するための手段】
【００１５】
この発明は下記の構成を備えることにより上記課題を解決できるものである。
【００１６】
（１）印刷の原稿となる印刷データを入力する印刷データ入力手段と、あらかじめ登録されている複数の印刷店舗の中から注文先の印刷店舗の選択を行う印刷店舗選択手段と、印刷店舗への印刷指示を入力する印刷指示入力手段と、印刷店舗への注文情報を入力する注文情報入力手段と、複数の印刷店舗の選択肢や印刷データや印刷指示や印刷注文情報や印刷統計ランキング情報等を表示する印刷サービス表示手段と、クライアントと印刷サービス管理サーバとの間において印刷データや印刷指示や印刷注文情報や印刷統計ランキング情報やユーザ情報や印刷経過情報等をやり取りするための、クライアント側のＩ／Ｆである発注側Ｉ／Ｆ手段と、クライアントから受けた印刷指示からジョブチケットを作成するジョブチケット作成手段と、クライアントから受けた注文情報（希望納期や配送場所や支払い方法など）からオーダチケットを作成するオーダチケット作成手段と、クライアントと印刷サービス管理サーバとの間において印刷データや印刷指示や印刷注文情報や印刷統計ランキング情報やユーザ情報や印刷経過情報等をやり取りするための、サーバ側のＩ／Ｆであるユーザ間Ｉ／Ｆ手段と、前記印刷データ、印刷指示、印刷注文情報、印刷統計ランキング情報、ユーザ情報、印刷経過情報を元に印刷サービスを制御する印刷サービス制御手段と、前記ユーザ情報を管理するユーザ管理手段と、印刷店舗情報を管理する印刷店舗情報管理手段と、ジョブチケットおよびオーダチケットを注文情報として管理する注文情報管理手段と、ジョブチケットおよびオーダチケットの注文情報から統計情報を抽出する注文統計情報抽出手段と、抽出された注文統計情報から注文統計情報データベースの作成や、追加の注文統計情報の登録および、既存の注文統計情報の検索等を行うデータベース管理手段と、注文統計情報データベースから抽出された注文統計情報を用いてランキング情報を計算するランキング情報計算手段と、印刷店舗と印刷サービス管理サーバとの間において印刷データやジョブチケットやオーダチケットや印刷経過情報等をやり取りするための、サーバ側のＩ／Ｆである印刷店舗間Ｉ／Ｆ手段とからなることを特徴とする印刷サービスシステム。
【発明の効果】
【００１７】
本発明によれば、どの印刷店舗が、どのような印刷注文を受けているのかを提示することが可能になる。
【００１８】
また、どのような印刷注文に対して、どの印刷店舗が人気があるのか提示することが可能になり、顧客が所望する印刷対象は、どの印刷店舗に任せるのが良いのか提示することが可能になり、顧客に対してユーザフレンドリィな印刷店舗の選択方法を提供することが可能になるという効果がある。
【発明を実施するための最良の形態】
【００１９】
以下本発明を実施するための最良の形態を、実施例により詳しく説明する。
【実施例】
【００２０】
［第１実施例］
図１は第１の実施例を表わすシステム構成ブロックである。
【００２１】
図１において、１０１は、印刷注文を発注する側であるユーザのクライアント、１０２は、印刷の原稿となる印刷データを入力する印刷データ入力部、１０３は、あらかじめ登録されている複数の印刷店舗の中から注文先の印刷店舗の選択を行う印刷店舗選択部、１０４は、印刷店舗への印刷指示を入力する印刷指示入力部、１０５は、印刷店舗への注文情報を入力する注文情報入力部、１０６は、複数の印刷店舗の選択肢や印刷データや印刷指示や印刷注文情報や印刷統計ランキング情報等を表示する印刷サービス表示部、１０７は、クライアントと印刷サービス管理サーバとの間において印刷データや印刷指示や印刷注文情報や印刷統計ランキング情報やユーザ情報や印刷経過情報等をやり取りするための、クライアント側のＩ／Ｆである発注側Ｉ／Ｆ部である。
【００２２】
また１０８は、クライアントと印刷店舗の間において印刷データや印刷指示や印刷注文情報や印刷統計ランキング情報やユーザ情報や印刷経過情報等を管理する印刷サービス管理サーバ、１０９は、クライアントと印刷サービス管理サーバとの間において印刷データや印刷指示や印刷注文情報や印刷統計ランキング情報やユーザ情報や印刷経過情報等をやり取りするためのサーバ側のＩ／Ｆであるユーザ間Ｉ／Ｆ部、１１０は、印刷データや印刷指示や印刷注文情報や印刷統計ランキング情報やユーザ情報や印刷経過情報等を元に印刷サービスを制御する印刷サービス制御部、１１１は、クライアントから受けた印刷指示から、ジョブチケットを作成する、ジョブチケット作成部である。
【００２３】
また１１２は、クライアントから受けた注文情報（希望納期や配送場所や支払い方法など）からオーダチケットを作成するオーダチケット作成部、１１３は、印刷店舗情報（印刷店舗名称や印刷店舗能力情報や印刷へのオーダー情報からなる）を管理する印刷店舗情報管理部、１１４は、ユーザ情報（ユーザ名やユーザ毎の受注情報やユーザ毎の印刷経過情報やユーザ毎のサーバアクセス情報）を管理するユーザ管理部、１１５は、ジョブチケットおよびオーダチケットを注文情報として管理する注文情報管理部、１１６は、ジョブチケットやオーダチケットの注文情報から統計情報を抽出する注文統計情報抽出部、１１７は、注文統計情報データベースから抽出された注文統計情報を用いてランキング情報を計算するランキング情報計算部である。
【００２４】
また１１８は、抽出された注文統計情報から注文統計情報データベースの作成や、追加の注文統計情報の登録や、既存の注文統計情報の検索等を行うデータベース管理部、１１９は、抽出された注文統計情報からなるデータベース、１２０は、印刷店舗と印刷サービス管理サーバとの間において印刷データやジョブチケットやオーダチケットや印刷経過情報等をやり取りするためのサーバ側のＩ／Ｆである印刷店舗間Ｉ／Ｆ部、１２１は、送られたジョブチケット、オーダチケット、および印刷データを以って印刷データの加工や出力等を行う印刷店舗である。
【００２５】
本実施例では、具体例として、ネットワークで繋がっている、クライアント、印刷サービス管理サーバ、印刷店舗の３つによって構成されている印刷サービスを例にする。次に処理の流れに付いて図１、２、３、４、５、６、７、８にしたがって説明する。
【００２６】
まず、クライアント（１０１）において、ユーザは印刷サービス管理サーバ（１０８）へログインを行う（Ｓ２０１）。ログインが許可された後、ユーザは印刷店舗を選択し（Ｓ２０２）、ユーザは印刷データを印刷サービス管理サーバへアップロードする（Ｓ２０３）。
【００２７】
次に印刷指示（部数や紙の種類、面付け指示、配送方法など）や注文情報（支払方法や希望納期など）の情報を入力する（Ｓ２０４）。ここで、一旦終了し、印刷サービス管理サーバからログアウトする（Ｓ２０５）。
【００２８】
その後、印刷サービス管理サーバからの各種通知（決済通知、配送通知等）を受信し（Ｓ２０６）、最終的にサービス完了通知を待ち（Ｓ２０７）、サービス完了通知が来たならば（Ｓ２０８）、後は、実印刷物を受け取ることで完了となる。
【００２９】
次に、印刷サービス管理サーバは、ユーザからの受信か印刷店舗からの受信かをチェックし（Ｓ３０１）、ユーザからの受信であれば、ユーザからの受信対応処理（Ｓ３０３）に移行し、まず、Ｓ４０１において、ユーザが印刷サービスを受けるためのログインを認証する。
【００３０】
次に、Ｓ４０２において、注文情報管理部（１１５）はデータベース（１１９）より、各印刷店舗と関連づけられている過去の注文統計情報を抽出する。
【００３１】
次に、Ｓ４０３にて、抽出した注文統計情報からランキング情報を計算し、Ｓ４０４にて、印刷店舗情報およびランキング情報から表示用データを加工する。
【００３２】
例えば、複数の印刷店舗毎に、それぞれ受注した注文の多い順に、注文種類を順位付けし、印刷店舗毎に、それぞれ最も多い注文種類を得意とする注文内容として印刷店舗名と共に表示する（図５）ような加工や、あるいは、例えば、複数の印刷店舗毎に、それぞれ受注した注文の注文種類を、多い順に順位付けし、選択された印刷店舗毎に、それぞれ過去に受注した注文の多い順に注文種類を表示する（図６）ような加工や、あるいは、例えば、特定の注文の種類毎（例えばカラー印刷、白黒印刷、ポスター印刷、社内報印刷等）に、それぞれ受注した注文の多い順に、複数の印刷店舗を順位付けし、選択された注文種類毎に、それぞれ受注した注文の多い順に印刷店舗を表示する（図７）ような加工を施す。
【００３３】
次に、Ｓ４０５にて、加工した表示用データをクライアントに送信する。
【００３４】
例えば、表示用データはＨＴＭＬ等で作成し、クライアントにはＷＷＷブラウザで参照させるなどの方法がある。
【００３５】
次に、Ｓ４０６にて、ユーザによる印刷店舗の選択があるか否かを検出し、印刷店舗の選択があった場合に、注文データとして、印刷データや注文情報や印刷指示の入力を受け付け（Ｓ４０７，Ｓ４０８，Ｓ４０９）、Ｓ４１０において、注文情報（ユーザの希望納期や支払い方法等）からオーダチケット（図８の８０１）を生成し、Ｓ４１１にて、印刷指示（ユーザが入力した紙の種類や部数、配送場所等などの情報）からジョブチケットを生成する（図８の８０２）。
【００３６】
次に、Ｓ４１２にて、ジョブチケットやオーダチケットから今回の注文統計情報を抽出し、ユーザが選択した印刷店舗と関連付けてデータベースに追加登録する。（Ｓ４１３）次に、印刷店舗にジョブチケットや印刷データ等を送信する（Ｓ４１４）。
【００３７】
また、Ｓ３０１にて、印刷店舗から受信した場合は、印刷店舗からの受信対応処理（Ｓ３０２）に移行し、印刷店舗からの各種サービス通知（決済通知、配送通知、サービス完了通知等）を受信し、クライアントに伝達する。
【００３８】
［第２実施例］
ユーザによる検索条件の入力をもとに、注文統計情報をデータベースから検索抽出し、ランキング情報の計算を行い、ユーザに提示することも可能である。次に処理の流れに付いて図３、４、９、１０にしたがって説明する。
【００３９】
まず、クライアントにおいて、ユーザは印刷サービス管理サーバへログインを行う。（Ｓ９０１）ログインが許可された後、ユーザは、印刷店舗を検索するための条件等を入力し印刷ショップの検索を行う（Ｓ９０２）。例えば、”用紙サイズ＝Ａ４”かつ”カラー印刷が多い”などと入力する。
【００４０】
次に、条件に応じて表示された印刷店舗のなかから、印刷店舗を選択し（Ｓ９０３）、ユーザは印刷データを印刷サービス管理サーバへアップロードする（Ｓ９０４）。次に印刷指示（部数や紙の種類、面付け指示、配送方法など）や注文情報（支払方法や希望納期など）の情報を入力する（Ｓ９０５。）ここで、一旦終了し、印刷サービス管理サーバからログアウトする（Ｓ９０６）。
【００４１】
その後、印刷サービス管理サーバからの各種通知（決済通知、配送通知等）を受信し（Ｓ９０７）、最終的にサービス完了通知を待ち（Ｓ９０８）、サービス完了通知が来たならば（Ｓ９０９）、後は、実印刷物を受け取ることで完了となる。
【００４２】
次に、印刷サービス管理サーバは、ユーザからの受信か印刷店舗からの受信かをチェックし（Ｓ３０１）、ユーザからの受信であれば、ユーザからの受信対応処理（Ｓ３０３）に移行し、まず、Ｓ４０１において、ユーザが印刷サービスを受けるためのログインを認証する。
【００４３】
次に、Ｓ４０２において、注文情報管理部（１１５）は、受け付けた検索条件を用いて、データベース（１１９）より、各印刷店舗と関連づけられている過去の注文統計情報を抽出する。
【００４４】
次に、Ｓ４０３にて、抽出した注文統計情報からランキング情報を計算し、Ｓ４０４にて、印刷店舗情報およびランキング情報から表示用データを加工する。
【００４５】
例えば、検索条件が、“用紙サイズ＝Ａ４”かつ“カラー印刷が多い”という入力であった場合、用紙サイズ＝Ａ４ならびにカラー印刷という条件において、過去に受注した注文の多い順に複数の印刷店舗を順位付けし、順位付けされた順に印刷店舗を表示する（図１０）ような加工を施す。
【００４６】
Ｓ４０５以降の処理およびＳ３０１にて、印刷店舗から受信した場合の処理は、実施例１と同様となる。
【００４７】
［第３実施例］
ユーザが入力した印刷指示や注文情報をもとに、データベースから適応的に検索抽出した注文統計情報を用いてランキング情報の計算を行い、ユーザの注文に応じた印刷店舗の提示も可能である。次に処理の流れに付いて図３、１１、１２、１３にしたがって説明する。
【００４８】
まず、クライアントにおいて、ユーザは印刷サービス管理サーバへログインを行う（Ｓ１１０１）。ログインが許可された後、ユーザは印刷データを印刷サービス管理サーバへアップロードし（Ｓ１１０２）、印刷指示（部数や紙の種類、面付け指示、配送方法など）や注文情報（支払方法や希望納期など）の情報を入力する（Ｓ１１０３）。
【００４９】
次に、ユーザは、ユーザ自身が入力した印刷指示に応じて表示された印刷店舗のなかから、印刷店舗を選択する（Ｓ１１０４）。
【００５０】
ここで、一旦終了し、印刷サービス管理サーバからログアウトする（Ｓ１１０５）。その後、印刷サービス管理サーバからの各種通知（決済通知、配送通知等）を受信し（Ｓ１１０６）、最終的にサービス完了通知を待ち（Ｓ１１０７）、サービス完了通知が来たならば（Ｓ１１０８）、後は、実印刷物を受け取ることで完了となる。
【００５１】
次に、印刷サービス管理サーバは、ユーザからの受信か印刷店舗からの受信かをチェックし（Ｓ３０１）、ユーザからの受信であれば、ユーザからの受信対応処理（Ｓ３０３）に移行し、まず、Ｓ１２０１において、ユーザが印刷サービスを受けるためのログインを認証する。
【００５２】
次に、注文データとして、印刷データや注文情報や印刷指示の入力を受け付け（Ｓ１２０２，Ｓ１２０３，Ｓ１２０４）、Ｓ１２０５において、注文情報（ユーザの希望納期や支払い方法等）からオーダチケット（図８の８０１）を生成し、Ｓ１２０６にて、印刷指示（ユーザが入力した紙の種類や部数、配送場所等などの情報）からジョブチケットを生成する（図８の８０２）。
【００５３】
次に、Ｓ１２０７にて、ジョブチケットやオーダチケットから今回の注文統計情報を抽出し、次に、Ｓ１２０８において、注文情報管理部（１１５）は、Ｓ１２０７で抽出した今回の注文統計情報を検索条件に用いて、データベース（１１９）より、各印刷店舗と関連づけられている過去の注文統計情報を検索抽出する。
【００５４】
次に、Ｓ１２０９にて、抽出した注文統計情報からランキング情報を計算し、Ｓ１２１０にて、印刷店舗情報およびランキング情報から表示用データを加工する。
【００５５】
例えば、印刷指示が、“用紙サイズ＝Ａ４”かつ、注文情報で“配達先＝横浜市・・・”という入力であった場合、用紙サイズ＝Ａ４ならびに配達先＝横浜という条件において、過去に受注した注文の多い順に複数の印刷店舗を順位付けし、順位付けされた順に印刷店舗を表示する（図１３）ような加工を施す。
【００５６】
次に、Ｓ１２１１にて、加工した表示用データをクライアントに送信する。例えば、表示用データはＨＴＭＬ等で作成し、クライアントにはＷＷＷブラウザで参照させるなどの方法がある。
【００５７】
次に、Ｓ１２１２にて、ユーザによって印刷店舗の選択がなされたか否かを検出し、印刷店舗の選択がなされた場合は、次に、Ｓ１２１３にて、今回の注文統計情報を、ユーザが選択した印刷店舗と関連付けてデータベースに追加登録し、印刷店舗にジョブチケットや印刷データ等を送信する（Ｓ１２１４）。
【００５８】
また、Ｓ３０１にて、印刷店舗から受信した場合は、印刷店舗からの受信対応処理（Ｓ３０２）に移行し、印刷店舗からの各種サービス通知（決済通知、配送通知、サービス完了通知等）を受信し、クライアントに伝達する。
【図面の簡単な説明】
【００５９】
【図１】第１の実施例のシステム構成ブロック図である。
【図２】第１の実施例のクライアント側の処理の例を示すフローチャートである。
【図３】第１の実施例のサーバ側の処理の例を示すフローチャートである。
【図４】第１の実施例のサーバ側の処理の例を示すフローチャートである。
【図５】第１の実施例のサーバ側で加工する表示用データの表示例を示す模式図である。
【図６】第１の実施例のサーバ側で加工する表示用データの表示例を示す模式図である。
【図７】第１の実施例のサーバ側で加工する表示用データの表示例を示す模式図である。
【図８】第１の実施例のサーバ側で作成するオーダチケット及びジョブチケットの例を示す模式図である。
【図９】第２の実施例のクライアント側の処理の例を示すフローチャートである。
【図１０】第２の実施例のサーバ側で加工する表示用データの表示例を示す模式図である。
【図１１】第３の実施例のクライアント側の処理の例を示すフローチャートである。
【図１２】第３の実施例のサーバ側の処理の例を示すフローチャートである。
【図１３】第３の実施例のサーバ側で加工する表示用データの表示例を示す模式図である。
【符号の説明】
【００６０】
１０１  クライアント
１０２  印刷データ入力部
１０３  印刷店舗選択部
１０４  印刷指示入力部
１０５  注文情報入力部
１０６  印刷サービス表示部
１０７  発注側Ｉ／Ｆ部
１０８  印刷サービス管理サーバ
１０９  ユーザ間Ｉ／Ｆ部
１１０  印刷サービス制御部
１１１  ジョブチケット作成部
１１２  オーダチケット作成部
１１３  印刷店舗情報管理部
１１４  ユーザ管理部
１１５  注文情報管理部
１１６  注文統計情報抽出部
１１７  ランキング情報計算部
１１８  データベース管理部
１１９  データベース
１２０  印刷店舗間Ｉ／Ｆ部
１２１  印刷店舗
【図１】
2006048503.tif 000003
【図２】
2006048503.tif 000004
【図３】
2006048503.tif 000005
【図４】
2006048503.tif 000006
【図５】
2006048503.tif 000007
【図６】
2006048503.tif 000008
【図７】
2006048503.tif 000009
【図８】
2006048503.tif 000010
【図９】
2006048503.tif 000011
【図１０】
2006048503.tif 000012
【図１１】
2006048503.tif 000013
【図１２】
2006048503.tif 000014
【図１３】
2006048503.tif 000015